(57)【要約】【課題】複写帳票や書類を一冊に綴じ合わせた申込帳票冊子を提供する。【解決手段】同じ大きさの長方形の紙片が紙片の長辺の一端に線状に形成された接着部で複数枚貼り合わされた単位複写帳票と振込帳票が貼付された振込帳票台紙と前記単位複写帳票と同一形状の専用封筒とが、それぞれの長辺の一端部で綴じ部材による綴じ部で綴じ合わされた申込帳票冊子であって、少なくとも前記単位複写帳票には、最上枚目に表紙紙片が配置され、前記振込帳票は前記振込帳票台紙の短辺の一端に貼り合わされ、前記単位複写帳票、専用封筒及び振込帳票台紙の長辺一端には長辺に平行に第一の切離し部が形成され、単位複写帳票の申込者控紙片には第二の切離し部が長辺に平行に形成され、申込帳票冊子の長辺の一端から前記綴じ部材による綴じ部、前記第一の切離し部、前記線状の接着部、前記第二の切離し部の順に形成されたを提供する。【選択図】  図１
2009279828.tif 000002
【特許請求の範囲】
【請求項１】
同じ大きさの長方形の紙片が紙片の長辺の一端に線状に形成された接着部で複数枚貼り合わされた単位複写帳票と、複写様式の振込帳票が貼付された前記単位複写帳票と同一形状の振込帳票台紙と、前記単位複写帳票と同一形状の専用封筒とがそれぞれの長辺の一端部で綴じ部材による綴じ部で綴じ合わされた申込帳票冊子であって、
少なくとも前記単位複写帳票には、最上枚目に単位複写帳票の名称が印刷された表紙紙片が配置され、
前記振込帳票は前記振込帳票台紙の短辺の一端に貼り合わされ、
前記単位複写帳票、専用封筒及び振込帳票台紙の長辺一端には長辺に平行に第一の切離し部が形成され、
申込者控紙片を有する単位複写帳票の申込者控紙片には、単位複写帳票から切離すための第二の切離し部が長辺に平行に形成され、
申込帳票冊子の長辺の一端から前記綴じ部材による綴じ部、前記第一の切離し部、前記線状の接着部、前記第二の切離し部の順に形成されたことを特徴とする申込帳票冊子。
【請求項２】
請求項１に記載の申込帳票冊子において、
単位複写帳票は複数組組み込まれたことを特徴とする申込帳票冊子。
【請求項３】
請求項１，２何れかに記載の申込帳票冊子において、
申込帳票冊子の綴じ部材による綴じ部は、背巻紙によって被覆されたことを特徴とするものである。
【発明の詳細な説明】
【技術分野】
【０００１】
本発明は、複写帳票や書類を一冊に綴じ合わせた申込帳票冊子に関する。
【背景技術】
【０００２】
近年、生命保険業界や損害保険業界では、顧客と保険契約を締結する際に顧客に記入させる多くの帳票や書類を準備して対応する。
保険会社の販売員は、保険契約を締結する際にタトウとよばれるポケット付きファイルに前述の帳票や書類を収納して顧客に提示し、説明する。
しかし、タトウに収納したはずの帳票や書類が欠落していて説明できない場合が発生する。
その場合、販売員は社に戻り帳票や書類を補填して出直さなければならなかった。
【０００３】
一方、冊子方式の伝票に関して、冊子内の帳票組を間違いなく組み単位で複写することと、綴じ合わされた状態でありながら中用紙または下用紙に検印が可能なインデックス付複写帳票組冊子体が提供されている（例えば、特許文献１参照）。
【０００４】
【特許文献１】特開２００４−９０６０６号公報
【発明の開示】
【発明が解決しようとする課題】
【０００５】
特許文献１に記載のインデックス付複写帳票組冊子体は、二枚以上から構成される複写帳票の最上紙の一辺にインデックス部を設け、さらに最下紙に当該インデックス部と重なるように同一形状のインデックス部を設けると共に、それら二つのインデックス部を綴じ合わせした複写帳票組であって、当該インデックス部を有する辺以外の少なくとも一辺を複数の複写帳票組で冊子として綴じ合わせると共に当該複写帳票組の相前後する組のインデックスの設置位置が同一でないインデックス付複写帳票組冊子体であるとしている。
前述のインデックス付複写帳票組冊子体は、インデックスを用紙の辺に設けるために、作製費が高くなる。
そこで本発明では、複写帳票や書類を一冊に綴じ合わせた申込帳票冊子申込帳票冊子を提供することを目的とするものである。
【課題を解決するための手段】
【０００６】
前記課題の目的を達成するために、本発明の申込帳票冊子の第一の態様は、同じ大きさの長方形の紙片が紙片の長辺の一端に線状に形成された接着部で複数枚貼り合わされた単位複写帳票と、複写様式の振込帳票が貼付された前記単位複写帳票と同一形状の振込帳票台紙と、前記単位複写帳票と同一形状の専用封筒とがそれぞれの長辺の一端部で綴じ部材による綴じ部で綴じ合わされた申込帳票冊子であって、少なくとも前記単位複写帳票には、最上枚目に単位複写帳票の名称が印刷された表紙紙片が配置され、前記振込帳票は前記振込帳票台紙の短辺の一端に貼り合わされ、前記単位複写帳票、専用封筒及び振込帳票台紙の長辺一端には長辺に平行に第一の切離し部が形成され、申込者控紙片を有する単位複写帳票の申込者控紙片には、単位複写帳票から切離すための第二の切離し部が長辺に平行に形成され、申込帳票冊子の長辺の一端から前記綴じ部材による綴じ部、前記第一の切離し部、前記線状の接着部、前記第二の切離し部の順に形成されたことを特徴とするものである。
【０００７】
また、第二の態様は、第一の態様において、単位複写帳票は複数組組み込まれたことを特徴とするものである。
【０００８】
また、第三の態様は、第一，第二何れかの態様において、申込帳票冊子の綴じ部材による綴じ部は、背巻紙によって被覆されたことを特徴とするものである。
【発明の効果】
【０００９】
１）本発明の申込帳票冊子は、第一，第二の態様のように、同じ大きさの長方形の紙片が紙片の長辺の一端に線状に形成された接着部で複数枚貼り合わされた単位複写帳票が一又は複数組と、複写様式の振込帳票が貼付された前記単位複写帳票と同一形状の振込帳票台紙と、前記単位複写帳票と同一形状の専用封筒とがそれぞれの長辺の一端部で綴じ部材による綴じ部で綴じ合わされた申込帳票冊子であって、少なくとも前記単位複写帳票には、最上枚目に単位複写帳票の名称が印刷された表紙紙片が配置され、前記振込帳票は前記振込帳票台紙の短辺の一端に貼り合わされ、前記単位複写帳票、専用封筒及び振込帳票台紙の長辺一端には長辺に平行に第一の切離し部が形成され、申込者控紙片を有する単位複写帳票の申込者控紙片には、単位複写帳票から切離すための第二の切離し部が長辺に平行に形成され、申込帳票冊子の長辺の一端から前記綴じ部材による綴じ部、前記第一の切離し部、前記線状の接着部、前記第二の切離し部の順に形成されたことによって、申込に必要な帳票がセットで組み込まれており、申し込む側は申込に必要な手続の全容が把握でき、帳票のタイトルが印刷してあるために的確に必要な帳票を選択できる。
また、申し込まれる側も自らの準備ミスによって必要な帳票が欠落しているというトラブルを引き起こすことがない。
また、振込み用の帳票が記載しやすい状態で台紙に貼付されていることによって、申込者は快適に情報を記載することができる。
さらに、専用封筒が綴じ込まれていることによって、申込者は申込帳票冊子を持ち帰って必要な書類を封緘して直ちに送付することができる。
２）また、第三の態様のように、第一の態様において、申込帳票冊子の綴じ部材による綴じ部は、背巻紙によって被覆されたことによって、綴じ部に触れて怪我をすることがない。さらに、申込帳票冊子の美観を向上させることができる。
【発明を実施するための最良の形態】
【００１０】
以下、図面を参照して本発明の申込帳票冊子について詳細に説明する。
図１は、本発明の申込帳票冊子の一例について説明するための図，図２は、図１のＡ−Ａ線断面図，図３は、単位複写帳票表紙紙片の一例について説明するための図，図４は、単位複写帳票の一例について説明するための図，図５は、専用封筒の一例について説明するための図，図６は、振込帳票が貼り合わされた振込帳票台紙の一例について説明するための図，である。
以下の説明では、本発明の申込帳票冊子は、単位複写帳票が複数組組み込まれた申込帳票冊子の例で説明する。
【００１１】
図１を参照して、本発明の申込帳票冊子の一例について説明する。
本発明の申込帳票冊子１は、同じ大きさの長方形の紙片が紙片の長辺の一端に線状に形成された接着部３で複数枚貼り合わされた単位複写帳票１１，１２，１３，１４と、複写様式の振込帳票が貼付された前記単位複写帳票と同一形状の振込帳票台紙１５と、前記単位複写帳票と同一形状の専用封筒１７とがそれぞれの長辺の一端部で綴じ部材による綴じ部２で綴じ合わされた申込帳票冊子である。
【００１２】
少なくとも前記単位複写帳票１１，１２，１３，１４には、最上枚目に単位複写帳票の名称が印刷された表紙紙片（図示せず）が配置され、前記振込帳票（図示せず）は前記振込帳票台紙１５の短辺の一端に貼り合わされている。
また、前記各単位複写帳票１１，１２，１３，１４，専用封筒１７、および、振込帳票台紙１５の長辺一端には長辺に平行に第一の切離し部４が形成され、図示しないが、申込者控紙片を有する単位複写帳票の申込者控紙片には、単位複写帳票から切離すための第二の切離し部が長辺に平行に形成されている。
また、前記線状の接着部３、前記綴じ部材による綴じ部２、前記第一の切離し部４、前記第二の切離し部（図示せず）は、図でわかるように、申込帳票冊子の長辺の一端（図１の申込帳票冊子１の左端）から綴じ部材による綴じ部２、第一の切離し部４、接着部３、第二の切離し部（図示せず）の順に形成されている。
【００１３】
また、図１に示すように、申込帳票冊子１の綴じ部材による綴じ部２は、長辺の一端に沿って形成された背巻紙６によって被覆されている。
背巻紙６による被覆は、針金，プラスチック，糸等による綴じ部２で怪我をしないように、また、申込帳票冊子１の美観向上のために形成される。
【００１４】
また、図示しないが、申込帳票冊子１には申込帳票冊子の最上部が表紙紙片１６になっていて、この申込帳票冊子が「お申込書類セット」であることを示す印刷が施されている。また、「お申込書類セット」のタイトルの下側には、綴じ合わされている書類名等が印刷によって表示されている。
【００１５】
図２を参照して、図１のＡ−Ａ線断面について説明する。
図に示すように、本発明の申込帳票冊子１は、同じ大きさの長方形の紙片が紙片の長辺の一端に線状に形成された接着部３で複数枚貼り合わされた単位複写帳票１１，１２，１３，１４と、複写様式の振込帳票が貼付された前記単位複写帳票と同一形状の振込帳票台紙１５と、前記単位複写帳票と同一形状の専用封筒１７とがそれぞれの長辺の一端部で綴じ部材による綴じ部（図示せず）で綴じ合わされている。
【００１６】
図２では、前記単位複写帳票１１，１２，１３，１４は、それぞれ二枚構成の複写帳票になっているが、それぞれの単位複写帳票は必要に応じて２〜５枚程度の紙片で構成される複写帳票である。図示しないが、単位複写帳票１１，１２，１３，１４には、それぞれの最上枚目に複写帳票の名称（図示せず）が印刷された複写帳票表紙紙片（図示せず）が配置されている。
また、前記振込帳票（図示せず）は前記振込帳票台紙１５の上短辺の一端に貼り合わされている。
また、前記各単位複写帳票１１，１２，１３，１４，専用封筒１７、および、振込帳票台紙１５の長辺一端には長辺に平行に第一の切離し部４が形成され、図示しないが、申込者控紙片を有する単位複写帳票の申込者控紙片には、単位帳票から切離すための第二の切離し部が長辺に平行に形成されている。
【００１７】
また、前記線状の接着部３、前記綴じ部材による綴じ部（図示せず）、前記第一の切離し部４、前記第二の切離し部（図示せず）は、申込帳票冊子１の長辺の一端（図の申込帳票冊子１の左端）から綴じ部材による綴じ部（図示せず）、第一の切離し部４、接着部３、第二の切離し部（図示せず）の順に形成されている。
【００１８】
また、図に示すように、申込帳票冊子１の綴じ部材による綴じ部（図示せず）は、長辺の一端に沿って形成された背巻紙６によって被覆されている。
【００１９】
また、申込帳票冊子１の最上部が表紙紙片１６になっていて、図示しないが、この申込帳票冊子１が「お申込書類セット」であることを示す印刷が施されている。
図では、表紙紙片１６に第一の切離し部４が形成されていないが、形成されていてもよい。
また、専用封筒１７は、パターン状の接着部７で貼り合わされ、綴じ部材により綴じ合わされている。
【００２０】
図では、専用封筒１７及び振込帳票台紙１５は申込帳票冊子１の最下部に組み込まれているが、この位置に拘るものではない。
【００２１】
図３を参照して、単位複写帳票表紙紙片の一例について説明する。
図３のａ図に示すように、少なくとも、申込帳票冊子１の単位複写帳票１１，１２，１３，１４には、図１，図２で説明したようにそれぞれの単位複写帳票の最上枚目に複写帳票の名称が印刷された複写帳票表紙紙片１１０，１２０，１３０，１４０が配置されている。
また、申込帳票冊子１の表紙紙片（図では、「（冊子表紙）」と表示している）１６を除いて、各単位複写帳票１１，１２，１３，１４，専用封筒１７、および、振込帳票台紙１５には、長辺に平行に第一の切離し部４が形成されている。
申込帳票冊子１の表紙紙片１６，各単位複写帳票１１，１２，１３，１４，専用封筒１７、および、振込帳票台紙１５は、ｂ図に示すように重ね合わされて一冊に綴じ合わされる。
【００２２】
図４を参照して、単位複写帳票の一例について説明する。
単位複写帳票１４は、単位複写帳票１１，１２，１３と同様、それぞれ２〜５枚程度の複写紙片で構成される複写帳票である。
単位複写帳票１４は、単位複写帳票１４の左端に形成された線状の接着部３によって複数の紙片が貼り合わされ、何れの枚目にも接着部３の左側に第一の切離し部４がミシン目状の切込みによって形成されている。
単位複写帳票１４の最上枚目は、複写帳票表紙紙片１４０になっている。
単位複写帳票１４の、例えば、最下枚目の申込者控紙片１４０＋ｎ（ｎ＝２〜５の整数）には、接着部３の右側近傍に申込者控紙片１４０＋ｎを単位複写帳票１４本体から切離すための第二の切離し部５がミシン目状の切込みによって形成されている。
【００２３】
図５を参照して、専用封筒の一例について説明する。
専用封筒１７は、二枚構成になっていて、専用封筒１７の左端に第一の切離し部４がミシン目状の切込みによって形成されている。
また、専用封筒１７は、二枚の紙片がパターン状の接着部７によって貼り合わされ、封入物を封入するための開口部には、二枚の紙片の何れかの内側に剥離紙を伴った両面テープ８が形成されている。
図示しないが、専用封筒１７には、表出する何れかの面に送付先の宛先情報が印刷される場合もある。
【００２４】
図６を参照して、振込帳票が貼り合わされた振込帳票台紙の一例について説明する。
振込帳票が貼り合わされた振込帳票台紙１５の振込帳票台紙１５２には、振込帳票台紙１５２の上端に振込帳票１５１が貼り合わされている。
振込帳票１５１は、２〜５枚の複写帳票になっていて、上端の帯状接着部３１でそれぞれ貼り合わされている。
振込帳票台紙１５２の長辺の一端には、第一の切離し部４がミシン目状の切込みによって形成されている。
図示しないが、振込帳票１５１の各枚目の接着部３１の近傍に、切離しのためのミシン目状の切込みが形成される場合もある。
【００２５】
（材料）
図２を参照して、本発明の申込帳票冊子に使用される材料の一例について説明する。
申込帳票冊子１の単位複写帳票１１，１２，１３，１４及び振り込み用帳票１５には、ノーカーボン紙やプリントカーボン紙を使用する。
また、表紙紙片や専用封筒，振り込み用帳票台紙，単位帳票表紙紙片には、上質紙，中質紙，下級紙，色上質紙等の非塗工紙、アート紙，コート紙，軽量コート紙等の塗工紙、エンボス紙，キャストコート紙，クラフト紙等から適宜選択して使用する。
【００２６】
接着部３，３１及びパターン状接着部７に使用する接着剤は、例えば、アクリル系樹脂，ビニル系樹脂，ポリエステル系樹脂，ウレタン系樹脂，アミド系樹脂，エポキシ系樹脂，ゴム系樹脂，アイオノマー系樹脂等の、公知の接着剤の中から選択して使用する。
また、綴じ部２の綴じ部材には、前述のように、針金，プラスチック，糸等を使用する。
また、両面テープ８は市販のものを使用する。
また、申込帳票冊子の印刷に使用するインキは、市販の紫外線硬化型のオフセットインキを使用する。
【産業上の利用可能性】
【００２７】
複写帳票や書類を一冊に綴じ合わせた申込帳票冊子に利用できる。
【図面の簡単な説明】
【００２８】
【図１】本発明の申込帳票冊子の一例について説明するための図である。
【図２】図１のＡ−Ａ線断面図である。
【図３】単位複写帳票表紙紙片の一例について説明するための図である。
【図４】単位複写帳票の一例について説明するための図である。
【図５】専用封筒の一例について説明するための図である。
【図６】振込帳票が貼り合わされた振込帳票台紙の一例について説明するための図である。
【符号の説明】
【００２９】
１      申込帳票冊子
２      綴じ部材による綴じ部
３，３１  接着部
４      第一の切離し部
５      第二の切離し部
６      背巻紙
７      パターン状接着部
８      両面テープ
１１，１２，１３，１４  単位複写帳票
１５    振込帳票が貼り合わされた振込帳票台紙
１６    表紙紙片
１７    専用封筒
１１０，１２０，１３０，１４０  複写帳票表紙紙片
１５１  振込帳票
１５２  振込帳票台紙
【図１】
2009279828.tif 000003
【図２】
2009279828.tif 000004
【図３】
2009279828.tif 000005
【図４】
2009279828.tif 000006
【図５】
2009279828.tif 000007
【図６】
2009279828.tif 000008